(57)【要約】【課題】実際のレイアウトを画面で確認しながら、点字、点図等の触知体同士の間隔を確実に触知容易な状態とする。【解決手段】複数種の触知体画像９と、触知体画像９に対応する触知体を対象ワーク２６上に形成するための触知体情報とを記憶する記憶手段１２と、記憶手段１２に記憶した触知体画像９を表示可能な第１領域６と、第１領域６に表示させた触知体画像９をドラッグアンドドロップで表示可能な第２領域７とを有する表示手段１と、表示手段１で、第２領域７に先に表示させた第１触知体画像に対して、後にドラッグアンドドロップした第２触知体画像が、設定寸法を超えて接近した場合、第２触知体画像の表示位置を第１触知体画像に対して設定寸法だけ離間した位置に変更する制御手段３と、を備える。【選択図】図１
2015217594.tif 000002
【特許請求の範囲】
【請求項１】
対象ワーク上に触知体を形成するための触知体形成装置であって、
複数種の触知体画像と、前記触知体画像に対応する触知体を対象ワーク上に形成するための触知体情報とを記憶する記憶手段と、
前記記憶手段に記憶した触知体画像を表示可能な第１領域と、前記第１領域に表示させた触知体画像をドラッグアンドドロップで表示可能な第２領域とを有する表示手段と、
前記表示手段で、第２領域に先に表示させた第１触知体画像に対して、後にドラッグアンドドロップした第２触知体画像が、設定寸法を超えて接近した場合、第２触知体画像の表示位置を第１触知体画像に対して設定寸法だけ離間した位置に変更する制御手段と、
を備えたことを特徴とする触知体形成装置。
【請求項２】
前記記憶手段は、記憶する触知体画像として文字に対応する触知用文字画像を含み、
前記表示手段は、第１領域に文字を入力するための文字入力欄と、文字入力欄に入力された文字に対応する触知用文字画像を表示するための文字表示欄とを備え、
前記制御手段は、前記文字表示欄に表示させた触知用文字を第２領域にドラッグアンドドロップすることにより第２領域に触知用文字画像を表示させることを特徴とする請求項１に記載の触知体形成装置。
【請求項３】
前記記憶手段に記憶する触知体画像は線図画像を含み、第１領域から第２領域にドラッグアンドドロップする際、第２領域に先に表示させた第１線図画像に対して、後に表示させる第２線図画像を重なり表示可能とすることを特徴とする請求項１又は２に記載の触知体形成装置。
【請求項４】
前記制御手段は、前記表示手段の第２領域に先に表示させた第１線図画像に対して、後に表示させる第２線図画像が、平行でかつ設定寸法を超えて接近している場合、前記記憶手段に記憶する触知体情報として、第２線図の高さ情報又は線種情報の少なくともいずれか一方を変更することを特徴とする請求項３に記載の触知体形成装置。
【請求項５】
前記制御手段は、前記表示手段で、第２領域に触知体画像を表示させる際、サイズ、形状及び向きを変更不能とすることを特徴とする請求項１から４のいずれか１項に記載の触知体形成装置。
【請求項６】
前記対象ワークに対して樹脂を塗布するためのディスペンサと、
前記対象ワークに対して前記ディスペンサを移動させるための駆動手段と、
をさらに備え、
前記制御手段は、作成した触知図原稿に基づいて、前記駆動手段を駆動制御することにより、前記対象ワークに樹脂を塗布して前記触知図原稿に対応する触知図を形成することを特徴とする請求項１から５のいずれか１項に記載の触知体形成装置。
【請求項７】
対象ワーク上に触知体を形成するための触知体形成方法であって、
表示手段の第１領域に触知体画像を表示させるステップと、
前記触知体画像をドラッグアンドドロップで前記表示手段の第２領域に表示させるステップと、
前記表示手段の第２領域に先に表示させた第１触知体画像に対して、後にドラッグアンドドロップした第２触知体画像が、設定寸法を超えて接近した場合、第２触知体画像を第１触知体画像に対して設定寸法だけ離間した位置に表示させるステップと、
を実行することを特徴とする触知体形成方法。
【請求項８】
前記触知体画像は文字に対応する触知用文字の触知用文字画像を含むことを特徴とする請求項７に記載の触知体形成方法。
【請求項９】
前記触知体画像は線図を含み、第１領域から第２領域にドラッグアンドドロップする際、第２領域に先に表示させた第１線図画像に対して、後に表示させる第２線図画像を重なり表示可能とすることを特徴とする請求項７又は８に記載の触知体形成方法。
【請求項１０】
前記表示手段の第２領域に先に表示させた第１線図画像に対して、後に表示させる第２線図画像が、平行でかつ設定寸法を超えて接近している場合、第２線図画像の高さ情報又は線種情報の少なくともいずれか一方を変更することを特徴とする請求項９に記載の触知体形成方法。
【請求項１１】
前記触知体画像は、第２領域に表示する際、サイズ、形状及び向きを変更不能としたことを特徴とする請求項６から１０のいずれか１項に記載の触知体形成方法。
【請求項１２】
表示手段の第１領域に触知体画像を表示させるステップと、
前記触知体画像をドラッグアンドドロップで前記表示手段の第２領域に表示させるステップと、
前記表示手段の第２領域に先に表示させた第１触知体画像に対して、後にドラッグアンドドロップした第２触知体画像が、設定寸法を超えて接近した場合、第２触知体画像を第１触知体画像に対して設定寸法だけ離間した位置に表示させるステップと、
をコンピュータに実行させることを特徴とする触知体形成プログラム。
【発明の詳細な説明】
【技術分野】
【０００１】
本発明は、触知体形成装置、方法及びプログラムに関するものである。
【背景技術】
【０００２】
従来、紙等に点字等を形成するための装置として、例えば、次のようなものが公知である。
【０００３】
特許文献１には、点字と点図とを混在させて文書を作成可能とする装置が開示されている。
【０００４】
特許文献２には、点字と点図が混在する場合、点の種類を変更することができる装置が開示されている。
【０００５】
特許文献３には、点字の点間隔が狭すぎる場合、その旨を通知することができる装置が開示されている。
【０００６】
特許文献４には、点字データ作成装置のメイン画面の表示部に背景としてワーク画像を表示させることにより、点字ボックスを所望の位置に正確に配置することができるようにした装置が開示されている。
【０００７】
しかしながら、特許文献１から４のいずれも、点字、点図あるいはそれらを組み合わせた図の製造方法に特化したものであり、製造された点字等の触知性については考慮されていない。
【０００８】
また、特許文献１では、設定画面上に表示させた、予め決めた分割領域を示すフォーマット（左上等）に、点字と点図のファイルをそれぞれ割り当てるだけである。このため、最終的な仕上がり状態は、実際に表示装置で表示するまで分からない。またその変更も設定画面に戻って入力し直さなければならない煩わしいものである。
【０００９】
特許文献２では、点字と点図とで単に点の種類を変更できる点に言及されているだけである。
【００１０】
特許文献３では、点字の点間隔が狭いときに通知されるに過ぎず、適切な位置にレイアウトするまでに試行錯誤が必要となる。
【００１１】
特許文献４では、背景にワーク画像を表示させた状態で点字ボックスをレイアウトできるだけであり、点字ボックス同士の位置関係は画面を見ながら適当に設定できるに過ぎない。
【先行技術文献】
【特許文献】
【００１２】
【特許文献１】特開平１０−２３５９３９号公報
【特許文献２】特開平１０−２３５９４０号公報
【特許文献３】特開平１０−２３５９８８号公報
【特許文献４】特開２０１３−９５１１６号公報
【発明の概要】
【発明が解決しようとする課題】
【００１３】
本発明は、実際のレイアウトを画面で確認しながら、点字、ピクトグラム等の触知体同士の間隔を確実に触知容易な状態とし、触知性に優れた触知体を製造可能な装置を提供することを課題とする。
【課題を解決するための手段】
【００１４】
本発明は、前記課題を解決するための手段として、
対象ワーク上に触知体を形成するための触知体形成装置であって、
複数種の触知体画像と、前記触知体画像に対応する触知体を対象ワーク上に形成するための触知体情報とを記憶する記憶手段と、
前記記憶手段に記憶した触知体画像を表示可能な第１領域と、前記第１領域に表示させた触知体画像をドラッグアンドドロップで表示可能な第２領域とを有する表示手段と、
前記表示手段で、第２領域に先に表示させた第１触知体画像に対して、後にドラッグアンドドロップした第２触知体画像が、設定寸法を超えて接近した場合、第２触知体画像の表示位置を第１触知体画像に対して設定寸法だけ離間した位置に変更する制御手段と、
を備えたことを特徴とする触知体形成装置を提供する。
【００１５】
この構成により、画面上で第２領域に表示させる触知体画像の位置を確認することができる。また触知体画像同士が接近し過ぎないように自動的に位置を調整することができる。したがって、対象ワーク上に触知体を形成した際、視覚障害者が指で認識できなくなる、あるいは、認識しにくくなる恐れがある距離まで接近させてしまうことがない。
【００１６】
前記記憶手段は、記憶する触知体画像として文字に対応する触知用文字画像を含み、
前記表示手段は、第１領域に文字を入力するための文字入力欄と、文字入力欄に入力された文字に対応する触知用文字画像を表示するための文字表示欄とを備え、
前記制御手段は、前記文字表示欄に表示させた触知用文字画像を第２領域にドラッグアンドドロップすることにより第２領域に触知用文字画像を表示させるのが好ましい。
【００１７】
この構成により、予め触知用文字をも他の触知体画像と同様に表示させることで、対象ワーク上に触知体を形成した際、視覚障害者が判別可能にレイアウトすることができる。
【００１８】
前記記憶手段に記憶する触知体画像は線図画像を含み、第１領域から第２領域にドラッグアンドドロップする際、第２領域に先に表示させた第１線図画像に対して、後に表示させる第２線図画像を重なり表示可能とするのが好ましい。
【００１９】
前記制御手段は、前記表示手段の第２領域に先に表示させた第１線図画像に対して、後に表示させる第２線図画像が、平行でかつ設定寸法を超えて接近している場合、前記記憶手段に記憶する触知体情報として、第２線図の高さ情報又は線種情報の少なくともいずれか一方を変更するのが好ましい。
【００２０】
この構成により、線図画像同士を接近させて表示可能としても、高さ又は線種を相違させることにより視覚障害者に識別させることができる。
【００２１】
前記制御手段は、前記表示手段で、第２領域に触知体画像を表示させる際、サイズ、形状及び向きを変更不能とするのが好ましい。
【００２２】
この構成により、第２領域に表示させた触知体画像に基づいて対象ワークに触知体を形成すれば、その触知体を確実に視覚障害者にとって触知性に優れたものとすることができる。
【００２３】
前記対象ワークに対して樹脂を塗布するためのディスペンサと、
前記対象ワークに対して前記ディスペンサを移動させるための駆動手段と、
をさらに備え、
前記制御手段は、作成した触知図原稿に基づいて、前記駆動手段を駆動制御することにより、前記対象ワークに樹脂を塗布して触知図を形成するのが好ましい。
【００２４】
本発明は、前記課題を解決するための手段として、
対象ワーク上に触知体を形成するための触知体形成方法であって、
表示手段の第１領域に触知体画像を表示させるステップと、
前記触知体画像をドラッグアンドドロップで前記表示手段の第２領域に表示させるステップと、
前記表示手段の第２領域に先に表示させた第１触知体画像に対して、後にドラッグアンドドロップした第２触知体画像が、設定寸法を超えて接近した場合、第２触知体画像を第１触知体画像に対して設定寸法だけ離間した位置に表示させるステップと、
を実行するものである。
【００２５】
前記触知体画像は文字に対応する触知用文字画像を含むのが好ましい。
【００２６】
前記触知体画像は線図を含み、第１領域から第２領域にドラッグアンドドロップする際、第２領域に先に表示させた第１線図画像に対して、後に表示させる第２線図画像を重なり表示可能とするのが好ましい。
【００２７】
前記表示手段の第２領域に先に表示させた第１線図画像に対して、後に表示させる第２線図画像が、平行でかつ設定寸法を超えて接近している場合、第２線図画像の高さ情報又は線種情報の少なくともいずれか一方を変更するのが好ましい。
【００２８】
前記触知体画像は、第２領域に表示する際、サイズ、形状及び向きを変更不能とするのが好ましい。
【００２９】
本発明は、前記課題を解決するための手段として、
表示手段の第１領域に触知体画像を表示させるステップと、
前記触知体画像をドラッグアンドドロップで前記表示手段の第２領域に表示させるステップと、
前記表示手段の第２領域に先に表示させた第１触知体画像に対して、後にドラッグアンドドロップした第２触知体画像が、設定寸法を超えて接近した場合、第２触知体画像を第１触知体画像に対して設定寸法だけ離間した位置に表示させるステップと、
をコンピュータに実行させることを特徴とする触知体形成プログラムを提供する。
【発明の効果】
【００３０】
本発明によれば、第１領域に表示させた触知体画像をドラッグアンドドロップで第２領域の所望の位置に表示させることができるので、第２領域に表示させる触知体画像のレイアウトを視覚により確認しながら容易に設定することができる。しかも、第２領域に表示させる触知体画像同士は設定寸法を超えて接近することがないように表示位置を自動調整することができるので、視覚障害者が識別できない、あるいは、識別が難しい状態となるようなレイアウトを回避することができる。
【図面の簡単な説明】
【００３１】
【図１】本実施形態に係る触知体形成装置の概略説明図である。
【図２】本実施形態に係る制御装置による触知図原稿を作成するための処理内容を示すフローチャートである。
【図３】図１の表示装置に表示する触知図原稿作成画面に表示される触知図原稿作成工程を示す図である。
【図４】図１の表示装置に表示する触知図原稿作成画面に表示される触知図原稿作成工程を示す図である。
【図５】図１の表示装置に表示する触知図原稿作成画面に表示される触知図原稿作成工程を示す図である。
【図６】図１の表示装置に表示する触知図原稿作成画面に表示される触知図原稿作成工程を示す図である。
【図７】図１の表示装置に表示する触知図原稿作成画面に於ける触知体画像の位置の自動調整を説明する図である。
【発明を実施するための形態】
【００３２】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００３３】
図１は、本実施形態に係る触知体形成装置の概略を示す。この触知体形成装置は、表示装置１、入力装置２、制御装置３、及び、塗布装置４を備える。
【００３４】
表示装置１は、液晶ディスプレイ等からなり、そこには図３に示す触知図原稿作成画面５を表示可能となっている。触知図原稿作成画面５は、各種の触知体画像等を表示するための第１領域６と、これら触知体画像等をドラッグアンドドロップして触知図原稿を作成するための第２領域７と、第２領域７に表示された触知体画像９の画像情報を表示する第３領域８とを有する。
【００３５】
第１領域６には、ピクトグラム、線図画像等の触知体画像９のほか、文字入力欄１０、文字表示欄１１、等が表示される。
【００３６】
第２領域７には、図５に示すように、第１領域６に表示させた第１触知体画像９Ａ（文字表示欄１１に表示させた点字を含む）をドラッグアンドドロップすることにより表示できる。ドラッグアンドドロップされることにより表示された第２触知体画像９Ｂは、その中心点（マウス位置）がドロップされた位置に最も近いグリッド線の交点に合致するように位置調整される。なお、グリッド線の間隔は自由に変更可能となっている。また、第２触知体画像９Ｂは、その中心点以外の位置をグリッド線の交点に合致させるように位置調整されてもよいし、グリッド線とは関係なしにドロップした位置で位置決めされるようにしてもよい。
【００３７】
第２領域７に表示させる第２触知体画像９Ｂ同士は、所定の設定寸法を超えて近付くことができないように位置調整される。すなわち、各画像には、その周囲に一定寸法の広がりを持って非重なり領域を設定されている。ここでは、非重なり領域の外縁は画像の外縁から２ｍｍの幅を有するように設定されている。したがって、第２領域７で先に表示させたある画像に対して、ドラッグアンドドロップさせた他の画像を重ねて表示させようとしても、非重なり領域が重ならない位置まで強制的に移動される。これにより、画像間に非重なり領域（画像外縁同士の距離として設定された寸法、ここでは４ｍｍ）が確保される。
【００３８】
ピクトグラムは、何らかの情報や注意を示すために表示される視覚記号（サイン）の１つであり、図３にはトイレで使用するための絵文字が図示されている。ここでは、ドラッグアンドドロップで第２領域７に表示させる各ピクトグラム画像の形状及びサイズは、触読性を考慮して予め設定されている。そして、各ピクトグラム画像の形状及びサイズのほか、その向き（回転方向の位置）も変更できないようになっている。また各ピクトグラム画像を構成する線の線幅及び線高に関する情報は、全て同じとされている。
【００３９】
線図は、直線、曲線等で構成され、第２領域７にドラッグアンドドロップして表示させた線図画像の長さ寸法は、マウスを使用して自由に変更できるようになっている。第２領域７では、線図画像同士を互いに重ねた状態で図示可能である。但し、線図画像同士が平行に配置される場合には、その間隔が設定寸法未満となる位置まで接近させて表示させることはできない。
【００４０】
文字入力欄１０には、キーボード等によって文字を入力できるようになっている。文字表示欄１１には、文字入力欄１０に入力された文字に対応する触知用文字画像が表示される。触知用文字画像としては、点字画像のほか、浮き出し文字画像等が含まれる。但し、以下の説明では、触知用文字画像として点字画像の例についてのみ記載する。文字入力欄１０に２文字以上が入力されれば、文字表示欄１１には対応する２文字以上が連なった点字画像が表示される。表示された点字画像は、第２領域７にドラッグアンドドロップすることにより表示させることができる。点字画像には、前記ピクトグラムと同様にその外縁の周囲まで非重なり領域が広げられている（点字画像の場合、点字を含む四角形の部分が点字画像であり、その外縁から広げられた部分までが非重なり領域となる。）。したがって、第２領域７に先に表示させた触知体画像９（点字画像を含む）があれば、これに重ねて表示することができず、少なくとも設定寸法離れた位置に表示位置を修正される。
【００４１】
文字入力欄１０は、点字画像を作成するために文字を入力するための欄であり、キーボード等によって入力した文字が表示される。
文字表示欄１１は、文字入力欄１０に入力された文字に対応する点字画像が表示される。表示された点字画像は、ドラッグアンドドロップにより第２領域７に表示可能となっている。
【００４２】
第３領域８には、第２領域７に表示する各触知体画像９に共通する情報が表示されている。具体的には、触知体画像９の位置（画像の中心位置をｘ、ｙ座標で表したもの）、サイズ、線幅、線種のほか、ハッチングに関する情報等が表示されている。
【００４３】
入力装置２は、キーボード、マウス、スキャナ等、各種データ及び指示等を入力するためのものである。キーボードは、主に表示画面の文字入力欄１０に文字を入力するために設けられている。マウスは、主に第１領域６から第２領域７に触知体画像９をドラッグアンドドロップさせて表示させるために設けられている。スキャナは、例えば作成しようとする触知図原稿の対象となる図面を取り込むために設けられている。
【００４４】
制御装置３は、記憶装置１２、中央処理装置１３（ＣＰＵ：Central Processing Unit）を備える。
記憶装置１２には、ハードディスク、メインメモリ、ＵＳＢメモリ、ＳＤカード等が含まれる。ハードディスクには、後述する触知体形成プログラムのほか、各種の触知体画像９と、これに対応する触知体を対象ワーク２６上に形成するための触知体情報とが互いに関連付けされたデータテーブルが記憶されている。触知体画像９としては、予め、触知性を考慮して、サイズ等を変更できないピクトグラムが記憶されているほか、スキャナ等で取り込んだり、グラフィックソフト等で作成したりする等により自由に作成することもできる。触知体情報は、触知体画像９を触知体に置き換えるためのデータ変換テーブルで構成されている。このデータ変換テーブルにより、例えば、触知体画像９を構成する線分に線種情報や高さ情報を付与したり、触知体画像９に相当する領域に対してその周囲に一定幅の広がりを有する非重なり領域や、各触知体画像９をドラッグアンドドロップする際の中心位置を設定したりすることができる。
【００４５】
中央処理装置１３は、後述するように、ハードディスクに記憶した触知体形成プログラムを実行し、表示装置１の画面上に触知図原稿を作成すると共に、作成した触知図原稿に基づいて塗布装置４に制御信号を送信し、塗布処理を行わせる。
【００４６】
塗布装置４は、筐体１４内に、ディスペンサ１５、駆動装置１６、各種コントローラ１７、等を設けたものである。
【００４７】
ディスペンサ１５は、透光性を有する紫外線硬化性の樹脂材料を所定量ずつ供給できるようにしたもので、ここでは、一軸偏心ねじポンプが使用されている。図示しないが、一軸偏心ねじポンプは、ステータと、そこに挿通されるロータとを備える。ステータは筒状で、吸込口から吐出口に向かう流動方向に所定ピッチで形成された雌ねじ形状の貫通孔を有する。ロータは雄ねじ形状に形成され、ステータの貫通孔内に挿通されることにより、その内周面との間に搬送空間を形成し、正回転することにより前記内周面に内接しながら搬送空間で流動体を吸込口側から吐出口側へと移動させる。またロータは逆回転することにより液だれを防止できるようになっている。ロータはモータにより回転駆動され、モータの駆動は制御装置３からの制御信号に基づいてディスペンサコントローラ２３により制御される。
【００４８】
このような構成の一軸偏心ねじポンプを使用したディスペンサ１５によれば、樹脂材料を一定量ずつ確実に吐出することができ、対象ワーク２６上に樹脂材料を点状、線状あるいは面状に塗布することが可能となる。
【００４９】
駆動装置１６は、ディスペンサ１５を支持する支持アーム２０をＸ，Ｙ，Ｚ軸方向に移動させるためのものであり、ここでは３軸交差ロボットが使用されている。支持アーム２０には、紫外線照射器２１が取り付けられており、ディスペンサ１５から対象ワーク２６上に塗布した樹脂に紫外線を照射して硬化させる。駆動装置１６は、制御装置３からの制御信号に基づいてロボットコントローラ２５によって図示しないモータを駆動制御させることにより、ディスペンサ１５を所望の位置に移動させる。
【００５０】
コントローラ１７は、システムコントローラ２２、ディスペンサコントローラ２３、紫外線照射器コントローラ２４、及び、ロボットコントローラ２５からなる。システムコントローラ２２は、制御装置３との信号の送受信を行い、他のコントローラ１７に制御信号を出力する。ディスペンサコントローラ２３は、システムコントローラ２２からの制御信号を受けて、ディスペンサ１５でのロータの回転速度、回転方向を制御する。紫外線照射器コントローラ２４は、システムコントローラ２２からの制御信号を受けて、紫外線照射器２１による照射状態を制御する。ロボットコントローラ２５は、システムコントローラ２２からの制御信号を受けて、３軸交差ロボットを駆動制御し、ディスペンサ１５を所望の位置へと移動させる。
【００５１】
次に、前記構成からなる触知体形成装置の動作を、図２に示すフローチャートに従って説明する。
【００５２】
触知図原稿を作成する場合、表示装置１の触知図原稿作成画面５の第１領域６で、マウス操作（左クリック）によりいずれの触知体画像９（ピクトグラムや線図）が選択されたのかを判断する（ステップＳ１）。なお、ここでの触知体画像９の選択には、後述するステップＳ４で既に第２領域７に表示した第１触知体画像があれば、その第１触知体画像も含まれる。
【００５３】
特定の触知体画像９がマウス操作で選択されれば、その種別を特定する（ステップＳ２）。ここでは、触知体画像９がピクトグラム、線図、又は点字のいずれであるのかを特定する。そして、選択した触知体画像９が第２領域７にドラッグアンドドロップされたか否かを判断する（ステップＳ３）。このとき、ドラッグアンドドロップされた触知体画像９（第１触知体画像）を、その中心位置がドロップされた位置で最も近いグリッド線の交点に合致するように位置調整して表示する（ステップＳ４）。但し、触知体画像９Ｂは、その中心点以外の位置をグリッド線の交点に合致させるように位置調整されてもよいし、グリッド線とは関係なしにドロップした位置で位置決めされるようにしてもよい。
【００５４】
続いて、前記ステップＳ１からＳ３と同様にして、マウス操作（左クリック）によりいずれの触知体画像９が選択されたのかを判断し（ステップＳ５）、選択された触知体画像９の種別を特定し（ステップＳ６）、第２領域７にドラッグアンドドロップされたか否かを判断する（ステップＳ７）。
【００５５】
ここで、第２領域７に先に表示されている第１触知体画像（各形状の外縁）に対して、今回表示しようとする第２触知体画像（各形状の外縁）の距離が設定寸法以上であるか否かを判断する（ステップＳ８）。そして、両画像の距離が設定寸法未満であれば、次のようにして触知体画像距離調整処理を実行する（ステップＳ９）。
【００５６】
触知体画像距離調整処理では、設定寸法を第１触知体画像と第２触知体画像の種類の違いに応じて次表に従って決定する。
【００５７】
【表１】
2015217594.tif 000003
【００５８】
すなわち、第１触知体画像と第２触知体画像の組み合わせが線図画像同士でない場合、設定寸法は４ｍｍとしている。ここでは、各画像の外縁の周囲に２ｍｍの非重なり領域を設定することで、両画像の外縁の距離が４ｍｍ以内には接近しないようにしている。また線図画像同士である場合、設定寸法は３ｍｍとしている。但し、この設定寸法は両線図が平行に配置される場合のみである。したがって、線図同士は交差して配置（一端同士を重ねて配置する場合を含む）することができるようになっている。
【００５９】
そして、第１触知体画像に対して第２触知体画像が設定寸法未満の距離まで接近した状態でドラッグアンドドロップされると、その位置から最も近いグリッド線の交点に中心位置が位置するように第２触知体画像を表示させた場合、画像間に設定寸法を確保できるか否かを判断する。設定寸法を確保できれば、その位置に第２触知体画像を表示する。設定寸法を確保できなければ、確保できるまで、順次、次に近いグリッド線の交点で同様な処理を行う。但し、第２触知体画像は、グリッド線とは関係なしに、非重なり領域を回避して最も近い位置に位置決めされるようにしてもよい。
【００６０】
例えば、図７（ａ）に示すように、第２領域７に表示された第１触知体画像９ｘには非重なり領域Ｎが形成されている。また、図７（ｂ）に示すように、第１触知体画像９ｘに対してドラッグアンドドロップしようとする第２触知体画像９ｙにも同様な非重なり領域Ｎが形成されている。したがって、図７（ｂ）に示すように、第１触知体画像９ｘに対して、第２触知体画像９ｙが設定寸法未満の距離まで接近した状態でドラッグアンドドロップされれば、図７（ｃ）に示すように、第２触知体画像９ｙの中心位置Ｃが、その位置から最も近いグリッド線Ｇの交点Ｉに位置するように、この第２触知体画像９ｙの位置を自動調整して表示させる。
【００６１】
このようにして、画像間の距離が設定寸法以上であれば、その位置に、設定寸法未満であれば、前記触知体画像距離調整処理で決定した位置にそれぞれ第２触知体画像を表示する（ステップＳ１０）。
【００６２】
以下、既に第２領域７に表示された触知体画像９の全てを第１触知体画像とし、新たに表示しようとする触知体画像９を第２触知体画像として、前記ステップＳ５からＳ１０を繰り返す。なお、既に第２領域７に表示された第１触知体画像をドラッグ（左クリック）して位置を変更する場合、第２領域７に他の触知体画像９が表示されているのであれば、ドラッグした第１触知体画像を第２触知体画像、その他全ての他の触知体画像を第１触知体画像として取り扱う。また線図の端部をクリックして伸長したりすることが可能である。
【００６３】
以上のようにして、第２領域７への触知体画像９の表示が完了すれば（ステップＳ１１）、触知図原稿の作成を終了する。そして、作成された触知図原稿に関する情報を記憶し、塗布装置４にその情報を送信することにより、対象ワーク２６の被塗布平面に樹脂を塗布させて触知図を作成する。
【００６４】
このようにして作成する触知図原稿は、画面上に触知体画像９を表示させる段階で、触知体画像同士が互いに接近し過ぎないように位置が自動調整される。したがって、塗布装置４で塗布する樹脂同士が接近し過ぎて、形成される触知体が視覚障害者に触知不能な状態となることがない。
【００６５】
図３から図６に、トイレの触知図原稿を作成する過程を示す触知図原稿作成画面５を示す。図３では、第１領域６（ツールボックス）で、第１触知体画像９Ａから線図（直線）９ａを選択した状態が示されている。図４では、図３で選択した線図（直線）９ａにより作成したトイレ全体のレイアウト図が示されている。線図画像９ｂ同士は、互いに平行に配置されない限り、交差させて配置することができ、ここでは一端部同士を重ねて配置している。図５では、図４に示すレイアウト図に対して、各触知体画像９を貼り付けていく途中の状態が示されており、第１領域６で選択した点、三角形及び四角形のピクトグラム９ｃをドラッグアンドドロップして、第２領域７に第２触知体画像９Ｂとしてピクトグラム画像９ｄを表示している。図６では、その他に、Ｍ、Ｗ、Ｘ四角を追加することにより完成したトイレ案内図が示されている。
【００６６】
図５及び図６で、順次、各種触知体画像を表示させる場合、触知体画像９をドラッグし、表示を希望する大体の位置に移動させ、その位置でドロップするだけでよい。前述の通り、ドロップした位置に最も近いグリッド線の交点に触知体画像９の位置が自動的に調整される。但し、グリッド線とは関係なしにドロップした位置に表示させることも可能である。したがって、簡単に触知体画像９を所望の位置に表示させることができる。またドラッグアンドドロップした先に、既に触知体画像９が表示されていれば、これに重ならないように位置を調整することができる。しかも、その距離は、設定寸法以上であり、この触知体画像９に基づいて作成した触知体に視覚障害者が指で触れた場合に十分に識別することができる。
【００６７】
このようにして完成した図６のトイレの触知図原稿では、各構成が非常に単純化された図形によって形成されている。したがって、この触知図原稿に基づいて塗布装置４によって形成した触知体は、視覚障害者にとって認識容易なものとなる。また触知体間には、第２領域７に触知体画像９を表示させる際に予め画像間に設けた設定寸法以上の距離が形成されている。したがって、視覚障害者が指で触れた場合に、これら隣接する触知体であっても区別不能となることがない。
【００６８】
なお、本発明は、前記実施形態に記載された構成に限定されるものではなく、種々の変更が可能である。
【００６９】
例えば、前記実施形態では、第２領域７に直接ドラッグアンドドロップで触知体画像９を表示させるだけとしたが、予め、スキャナ等により第２領域７に作成対象となる原図を読み込み、この原図のイメージデータ上に、順次、各触知体画像９を表示させながら触知図原稿を作成できるようにしてもよい。なお、原図は晴眼者用に作られた図面や文書等であってもよい。
【００７０】
これによれば、原図を参考にして触知体をレイアウトできる。しかも、触知体を原図とは異なる位置にレイアウトすることも可能である。この場合、完成した触知図原稿に基づいて、塗布装置４によって原図上に触知体を形成したとしても、この触知体は透明な紫外線硬化樹脂で構成されている。このため、晴眼者による原図の視認性に影響を及ぼすことがない。また、視覚障害者は触知体を触ってその形状を認識することができる。つまり、晴眼者と視覚障害者の双方にとって、原図と触知体のそれぞれによって良好な認識状態が確保される。
【００７１】
また、前記実施形態では、触知体画像同士が互いに接近し過ぎないように表示位置を自動調整するだけとしたが、線図同士が平行に隣接する場合にはさらに接近して表示させるようにすることもできる。この場合、隣接する線図の高さ情報又は線種情報を相違させるようにする。例えば、線図同士が平行に配置され、その間隔が設定寸法未満となった場合、高さ情報に差を設けたり、線種を相違させたり（例えば、一方を実線のまま、他方を点線とする。）、あるいは、その両方を実行したりする。これにより、塗布装置４で樹脂を塗布した場合、線図間の間隔を短くしているにも拘わらず、両者を識別することができるようになる。また、触知体画像同士が接近し過ぎた場合にはエラー出力するようにしてもよい。例えば、触知体画像同士が接近し過ぎた時点でアラート画面を表示させたり、対象となる触知体画像（第１触知体画像又は第２触知体画像のいずれか一方又は双方）の表示色を変更したりすればよい。
【符号の説明】
【００７２】
１…表示装置
２…入力装置
３…制御装置
４…塗布装置
５…触知図原稿作成画面
６…第１領域
７…第２領域
８…第３領域
９…触知体画像
１０…文字入力欄
１１…文字表示欄
１２…記憶装置
１３…中央処理装置
１４…筐体
１５…ディスペンサ
１６…駆動装置
１７…コントローラ
１９…温調器
２０…支持アーム
２１…紫外線照射器
２２…システムコントローラ
２３…ディスペンサコントローラ
２４…紫外線照射器コントローラ
２５…ロボットコントローラ
２６…対象ワーク
【図１】
2015217594.tif 000004
【図２】
2015217594.tif 000005
【図３】
2015217594.tif 000006
【図４】
2015217594.tif 000007
【図５】
2015217594.tif 000008
【図６】
2015217594.tif 000009
【図７】
2015217594.tif 000010